(57)【要約】【課題】相手側端子との軸線方向及び直交方向で突出量を小さくできる接続端子を提供する。【解決手段】接続端子１は、電線７の芯線８を保持する芯線保持部３と、絶縁被覆９を保持する被覆保持部４とを、接続部２におけるタブ端子１２の差し込み方向との直交方向で接続部２を前後に挟むように配置して、電線７を接続部２と直交状に保持可能としている。【選択図】図１
2009070579.tif 000002
【特許請求の範囲】
【請求項１】
相手側端子を差し込み接続可能な接続部と、その接続部と一体に設けられ、電線の芯線を保持可能な芯線保持部と、前記電線の絶縁被覆を保持可能な被覆保持部とを備える接続端子であって、
前記芯線保持部と被覆保持部とを、前記接続部における前記相手側端子の差し込み方向との直交方向で前記接続部を挟むように配置して、前記電線を前記接続部と直交状に保持可能としたことを特徴とする接続端子。
【請求項２】
一枚の金属板の一端側に前記接続部を折曲形成する一方、他端側に前記芯線保持部と被覆保持部とを折曲形成して略中央で折り返し、前記接続部と芯線保持部及び被覆保持部とが背中合わせになるように配置したことを特徴とする請求項１に記載の接続端子。
【発明の詳細な説明】
【技術分野】
【０００１】
本発明は、例えばＤＣモータのタブ端子等に電線を電気的接続するために用いられる接続端子に関する。
【背景技術】
【０００２】
接続端子は、平板状のタブ端子等を差し込み接続可能な接続部と、その接続部と一体に設けられ、電線の芯線を保持可能な芯線保持部と、電線の絶縁被覆を保持可能な被覆保持部とを備えている。例えば特許文献１においては、突出するタブ端子の同一軸線上に接続部と芯線保持部及び被覆保持部とが並設される接続端子では、タブ端子の同一軸線上に空間を必要とすることから、接続部に、接続部との直交方向で芯線保持部と被覆保持部とを連設して、タブ端子と直角に電線の接続を可能とした発明を開示している。
【０００３】
【特許文献１】特開平１１−１１１３６７号公報
【発明の開示】
【発明が解決しようとする課題】
【０００４】
しかし、上記特許文献１の接続端子では、芯線保持部と被覆保持部とが接続部から当該直交方向へ並べて配置されるため、今度はタブ端子から直交方向で接続端子の突出量が大きくなってしまう。よって、例えばＤＣモータのタブ端子に用いた場合等には、接続端子が傾いて金属製のモータケースに接触して短絡を起こすおそれがあり、芯線保持部と被覆保持部とを絶縁チューブで被覆する等の処理が必要となって、コストアップや組立の手間の増加に繋がる。
【０００５】
そこで、本発明は、タブ端子の軸線上は勿論、直交方向でも突出量を小さくでき、短絡のおそれを低減して絶縁チューブ等を不要とし、コストアップや組立の手間も生じさせない接続端子を提供することを目的としたものである。
【課題を解決するための手段】
【０００６】
上記目的を達成するために、請求項１に記載の発明は、芯線保持部と被覆保持部とを、接続部における相手側端子の差し込み方向との直交方向で接続部を挟むように配置して、電線を接続部と直交状に保持可能としたことを特徴とするものである。
請求項２に記載の発明は、請求項１の構成において、接続端子を簡単に形成するために、一枚の金属板の一端側に接続部を折曲形成する一方、他端側に芯線保持部と被覆保持部とを折曲形成して略中央で折り返し、接続部と芯線保持部及び被覆保持部とが背中合わせになるように配置したことを特徴とするものである。
【発明の効果】
【０００７】
請求項１に記載の発明によれば、相手側端子の軸線上は勿論、直交方向でも突出量が小さくなり、省スペースで電線が接続可能となる。よって、絶縁チューブ等で保護しなくても短絡のおそれが低減され、コストアップや組立の手間も生じない。
請求項２に記載の発明によれば、請求項１の効果に加えて、一枚の金属板を用いて接続端子が簡単に形成可能となる。
【発明を実施するための最良の形態】
【０００８】
以下、本発明の実施の形態を図面に基づいて説明する。
図１は、ＤＣモータに本発明の接続端子を用いた状態を示す斜視図、図２は接続端子の斜視図で、接続端子１は、ＤＣモータ１０のケース１１の後部に突設される平板状のタブ端子１２が差し込み接続可能な接続部２と、電線の芯線が保持される芯線保持部３と、電線の絶縁被覆が保持される被覆保持部４とを備えた一枚の金属板５で形成されている。
まず接続部２は、横断面コ字状に折曲された一対の折り返し片６，６からなり、この折り返し片６，６の内側でタブ端子１２を挿入保持可能としている。また、芯線保持部３と被覆保持部４とは、夫々一対のかしめ片３ａ，３ａ及びかしめ片４ａ，４ａからなり、接続部２の略中心を直交状に通る直線上で接続部２を挟むように配置されている。この接続端子１は、図３の展開図に示すように、金属板５の一端側に接続部２を折曲形成する一方、他端側に芯線保持部３と被覆保持部４とを折曲形成して略中央で折り返すことで、接続部２と芯線保持部３及び被覆保持部４とが背中合わせになるように配置したものである。
【０００９】
以上の如く構成された接続端子１は、電線７の芯線８を芯線保持部３のかしめ片３ａ，３ａの間に、絶縁被覆９を被覆保持部４のかしめ片４ａ，４ａの間に夫々セットして、各かしめ片３ａ，３ａ及び４ａ，４ａを治具等を用いてかしめる。すると、芯線８が芯線保持部３に、絶縁被覆９が被覆保持部４に夫々圧着される。そして、ＤＣモータ１０のタブ端子１２を接続部２に差し込んで折り返し片６，６で保持させると、図１に示すように、電線７は接続部２及びタブ端子１２と直交状に保持される。この状態で接続端子１は、ＤＣモータ１０の周方向で接続部２の前後に夫々芯線保持部３と被覆保持部４とが突出するにとどまる。
【００１０】
このように、上記形態の接続端子１によれば、芯線保持部３と被覆保持部４とを、接続部２におけるタブ端子１２の差し込み方向との直交方向で接続部２を前後に挟むように配置して、電線７を接続部２と直交状に保持可能としたことで、タブ端子１２の軸線上は勿論、直交方向でも突出量が小さくなり、省スペースで電線７が接続可能となる。よって、絶縁チューブ等で保護しなくても短絡のおそれが低減され、コストアップや組立の手間も生じない。
特に、一枚の金属板５の一端側に接続部２を折曲形成する一方、他端側に芯線保持部３と被覆保持部４とを折曲形成して略中央で折り返し、接続部２と芯線保持部３及び被覆保持部４とが背中合わせになるように配置したことで、接続端子１が簡単に形成可能となっている。
【００１１】
なお、上記形態では、芯線保持部と被覆保持部とは、接続部の略中心を直交状に通る直線上に配置されているが、例えば図４に示す接続端子１ａのように、芯線保持部３と被覆保持部４とを接続部２の差し込み方向の片側へオフセットさせて設けるようにしてもよい。この形態であれば、例えば芯線保持部３と被覆保持部４とが外側（ＤＣモータから遠くなる側）になるように接続端子１ａを差し込むと、接続状態での電線とＤＣモータ後面とのクリアランスが確保され、ＤＣモータ後部のエッジ保護がしやすくなる利点がある。勿論さらに先端側にずらすこともできる。一方、接続箇所によっては芯線保持部３と被覆保持部４とが逆側（ＤＣモータに近い側）になるように差し込むこともできる。
【００１２】
また、接続部や芯線保持部及び被覆保持部の具体的構造も上記形態に限らず、接続部を筒状体や単一の折り返し片で形成したり、芯線保持部と被覆保持部とを筒状体又は単一の折り返し片で形成したり等、適宜変更可能である。勿論一枚の金属板で折曲形成するものに限定せず、接続部等の形態によっては、接続部を形成する金属板と、一端に芯線保持部を、他端に被覆保持部を夫々形成する金属板とを背中合わせにして両者を結合する等して接続端子を形成することも考えられる。
さらに、本発明の接続端子は、上記形態のようにＤＣモータのタブ端子と電線との接続に用いるものに限らず、例えばスイッチや基板への電線の接続等、他の電気機器等において採用することが可能である。
【図面の簡単な説明】
【００１３】
【図１】接続端子の使用状態を示す斜視図である。
【図２】接続端子の斜視図で、夫々異なる角度から見た状態を示している。
【図３】接続端子の展開図である。
【図４】変更例の接続端子の説明図で、夫々異なる角度から見た状態を示している。
【符号の説明】
【００１４】
１，１ａ・・接続端子、２・・接続部、３・・芯線保持部、３ａ，４ａ・・かしめ片、４・・被覆保持部、５・・金属板、６・・折り返し片、７・・電線、８・・芯線、９・・絶縁被覆、１０・・ＤＣモータ、１２・・タブ端子。
【図１】
2009070579.tif 000003
【図２】
2009070579.tif 000004
【図３】
2009070579.tif 000005
【図４】
2009070579.tif 000006